(57)【特許請求の範囲】
【請求項１】
ファクシミリ送信される画像データを記憶するための記憶媒体と、
送信原稿を読み取って前記送信原稿を表すカラー画像データと前記送信原稿を表すモノクロ画像データとを前記記憶媒体に記憶させる読み取り手段と、
前記読み取り手段で前記送信原稿の読み取り中に前記記憶媒体の空き領域が不足すると前記カラー画像データ又は前記モノクロ画像データのいずれを削除するかの選択を受け付け、前記カラー画像データ又は前記モノクロ画像データのいずれか選択された一方を削除する削除手段と、
前記読み取り手段で前記送信原稿の読み取りが終了した後に送信先の機器との通信を確立して前記記憶媒体に記憶されている画像データを前記機器にファクシミリ送信する送信手段であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信し、前記削除手段によって前記記憶媒体から前記モノクロ画像データが削除されて前記カラー画像データのみが記憶されているとき、前記機器がカラー画像データを受信できない場合はファクシミリ送信を中止する送信手段と、
を備え、
前記削除手段は、前記モノクロ画像データの削除が選択されると、送信先の機器がカラー画像データを受信できない場合にはファクシミリ送信が中止されることをユーザに警告するファクシミリ装置。
【請求項２】
前記送信手段は、前記削除手段で前記カラー画像データ又は前記モノクロ画像データのいずれか一方を削除した後に前記記憶媒体の空き領域が再度不足すると、前記読み取り手段で読み取り中の頁の前頁までの前記カラー画像データ又は前記モノクロ画像データをファクシミリ送信する請求項１に記載のファクシミリ装置。
【請求項３】
ファクシミリ送信される画像データを記憶するための記憶媒体と、
送信原稿を読み取って前記送信原稿を表すカラー画像データと前記送信原稿を表すモノクロ画像データとを前記記憶媒体に記憶させる読み取り手段と、
前記読み取り手段で前記送信原稿の読み取り中に前記記憶媒体の空き領域が不足すると前記カラー画像データ又は前記モノクロ画像データのいずれか一方を前記記憶媒体から削除する削除手段と、
前記読み取り手段で前記送信原稿の読み取りが終了した後に送信先の機器との通信を確立して前記記憶媒体に記憶されている画像データを前記機器にファクシミリ送信する送信手段であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信し、前記削除手段で前記カラー画像データ又は前記モノクロ画像データのいずれか一方を削除した後に前記記憶媒体の空き領域が再度不足すると、前記読み取り手段で読み取り中の頁の前頁までの前記カラー画像データ又は前記モノクロ画像データをファクシミリ送信する送信手段と、を備えるファクシミリ装置。
【請求項４】
前記送信手段は、前記記憶媒体の空き領域が再度不足して前頁までの前記カラー画像データ又は前記モノクロ画像データをファクシミリ送信すると、次回のファクシミリ送信において前回と同じ送信先又は別の送信先のいずれにファクシミリ送信するかの選択を受け付け、前回と同じ送信先が選択された場合は前回と同じ送信先にファクシミリ送信する請求項２又は３に記載のファクシミリ装置。
【請求項５】
ファクシミリ送信される画像データを記憶するための記憶媒体を有するファクシミリ装置を用いたファクシミリ送信方法であって、
送信原稿を読み取って前記送信原稿を表すカラー画像データと前記送信原稿を表すモノクロ画像データとを前記記憶媒体に記憶させる読み取り段階と、
前記読み取り段階で前記送信原稿の読み取り中に前記記憶媒体の空き領域が不足すると前記カラー画像データ又は前記モノクロ画像データのいずれか一方を前記記憶媒体から削除する削除段階と、
前記読み取り段階で前記送信原稿の読み取りが終了した後に送信先の機器との通信を確立して前記記憶媒体に記憶されている画像データを前記機器にファクシミリ送信する送信段階であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信し、前記削除段階によって前記記憶媒体から前記モノクロ画像データが削除されて前記カラー画像データのみが記憶されているとき、前記機器がカラー画像データを受信できない場合はファクシミリ送信を中止する送信段階と、
を含み、
前記削除段階は、前記モノクロ画像データの削除が選択されると、送信先の機器がカラー画像データを受信できない場合にはファクシミリ送信が中止されることをユーザに警告することを特徴とするファクシミリ送信方法。
【請求項６】
ファクシミリ送信される画像データを記憶するための記憶媒体を有するファクシミリ装置を用いたファクシミリ送信方法であって、
送信原稿を読み取って前記送信原稿を表すカラー画像データと前記送信原稿を表すモノクロ画像データとを前記記憶媒体に記憶させる読み取り段階と、
前記読み取り段階で前記送信原稿の読み取り中に前記記憶媒体の空き領域が不足すると前記カラー画像データ又は前記モノクロ画像データのいずれか一方を前記記憶媒体から削除する削除段階と、
前記読み取り段階で前記送信原稿の読み取りが終了した後に送信先の機器との通信を確立して前記記憶媒体に記憶されている画像データを前記機器にファクシミリ送信する送信段階であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信し、前記削除手段で前記カラー画像データ又は前記モノクロ画像データのいずれか一方を削除した後に前記記憶媒体の空き領域が再度不足すると、前記読み取り手段で読み取り中の頁の前頁までの前記カラー画像データ又は前記モノクロ画像データをファクシミリ送信する送信段階と、
を含むことを特徴とするファクシミリ送信方法。
【請求項７】
ファクシミリ送信される画像データを記憶するための記憶媒体を有するファクシミリ装置を、
請求項１乃至４のいずれかに記載のファクシミリ装置として機能させるファクシミリ送信プログラム。
【発明の詳細な説明】
【技術分野】
【０００１】
本発明は、ファクシミリ装置、ファクシミリ送信方法及びファクシミリ送信プログラムに関する。
【背景技術】
【０００２】
従来、送信原稿を読み取ってカラー画像データとモノクロ画像データとをメモリに記憶させ、送信先の機器がカラー画像データを受信可能な場合はカラー画像データをファクシミリ送信し、受信できない場合はモノクロ画像データをファクシミリ送信するカラーファクシミリ装置が知られている（例えば、特許文献１参照。）。
【０００３】
ところで、カラー画像データとモノクロ画像データとをメモリに記憶させるようにするとメモリに記憶させるデータ量が増大するので、カラー画像データのみを記憶させるカラーファクシミリ装置に比べて送信原稿の読み取り中にメモリの空き領域が不足し易くなる。
しかしながら、特許文献１に記載のカラーファクシミリ装置には、送信原稿の読み取り中にメモリの空き領域が不足したときの対策が施されていないという問題がある。
【０００４】
【特許文献１】特開平８−２１４１７２号公報
【発明の開示】
【発明が解決しようとする課題】
【０００５】
本発明は、上述の問題を解決するために創作されたものであって、送信原稿の読み取り中に記憶媒体の空き領域が不足しても読み取りを続行可能なファクシミリ装置、ファクシミリ送信方法及びファクシミリ送信プログラムを提供することを目的とする。
【課題を解決するための手段】
【０００６】
（１）上記目的を達成するためのカラーファクシミリ装置は、ファクシミリ送信される画像データを記憶するための記憶媒体と、送信原稿を読み取って前記送信原稿を表すカラー画像データと前記送信原稿を表すモノクロ画像データとを前記記憶媒体に記憶させる読み取り手段と、前記読み取り手段で前記送信原稿の読み取り中に前記記憶媒体の空き領域が不足すると前記カラー画像データ又は前記モノクロ画像データのいずれか一方を前記記憶媒体から削除する削除手段と、前記読み取り手段で前記送信原稿の読み取りが終了した後に送信先の機器との通信を確立して前記記憶媒体に記憶されている画像データを前記機器にファクシミリ送信する送信手段であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信する送信手段と、を備える。
本発明によると、送信原稿の読み取り中に記憶媒体の空き領域が不足するとカラー画像データ又はモノクロ画像データを記憶媒体から削除するので、記憶媒体の空き領域を確保でき、読み取りを続行できる。
【０００７】
（２）前記削除手段は、前記カラー画像データ又は前記モノクロ画像データのいずれを削除するかの選択を受け付け、前記カラー画像データ又は前記モノクロ画像データのいずれか選択された一方を削除してもよい。
本発明によると、カラー画像データを削除するかモノクロ画像データを削除するかをユーザが選択できる。
【０００８】
（３）前記送信手段は、前記削除手段によって前記記憶媒体から前記モノクロ画像データが削除されて前記カラー画像データのみが記憶されているとき、前記機器がカラー画像データを受信できない場合はファクシミリ送信を中止してもよい。前記削除手段は、前記モノクロ画像データの削除が選択されると、送信先の機器がカラー画像データを受信できない場合にはファクシミリ送信が中止されることをユーザに警告してもよい。
本発明によると、モノクロ画像データを削除すると送信先の機器がカラー画像データを受信できない場合にはファクシミリ送信が中止されることをユーザが知ることができる。
【０００９】
（４）前記送信手段は、前記削除手段で前記カラー画像データ又は前記モノクロ画像データのいずれか一方を削除した後に前記記憶媒体の空き領域が再度不足すると、前記読み取り手段で読み取り中の頁の前頁までの前記カラー画像データ又は前記モノクロ画像データをファクシミリ送信してもよい。
本発明によると、空き領域が再度不足してそれ以上読み取りを続行できなくなっても前頁までのカラー画像データ又はモノクロ画像データの読み取りが無駄にならないので、前頁までの送信原稿を読み取り直すという無駄を排除できる。
【００１０】
（５）前記送信手段は、前記記憶媒体の空き領域が再度不足して前頁までの前記カラー画像データ又は前記モノクロ画像データをファクシミリ送信すると、次回のファクシミリ送信において前回と同じ送信先又は別の送信先のいずれにファクシミリ送信するかの選択を受け付け、前回と同じ送信先が選択された場合は前回と同じ送信先にファクシミリ送信してもよい。
記憶媒体の空き領域が再度不足した場合は次回のファクシミリ送信では読み取り中の頁から読み取りが再開されて同一の送信先に送信される可能性が高い。本発明によると、ユーザは次回のファクシミリ送信において前回と同じ送信先にファクシミリ送信することを選択することにより、送信先を指定し直す手間が不要になる。
【００１１】
（６）上記目的を達成するためのファクシミリ送信方法は、ファクシミリ送信される画像データを記憶するための記憶媒体を有するファクシミリ装置を用いたファクシミリ送信方法であって、送信原稿を読み取って前記送信原稿を表すカラー画像データと前記送信原稿を表すモノクロ画像データとを前記記憶媒体に記憶させる読み取り段階と、前記読み取り段階で前記送信原稿の読み取り中に前記記憶媒体の空き領域が不足すると前記カラー画像データ又は前記モノクロ画像データのいずれか一方を前記記憶媒体から削除する削除段階と、前記読み取り段階で前記送信原稿の読み取りが終了した後に送信先の機器との通信を確立して前記記憶媒体に記憶されている画像データを前記機器にファクシミリ送信する送信段階であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信する送信段階と、を含む。
本発明によると、送信原稿の読み取り中に記憶媒体の空き領域が不足するとカラー画像データ又はモノクロ画像データを記憶媒体から削除するので、記憶媒体の空き領域を確保でき、読み取りを続行できる。
【００１２】
（７）上記目的を達成するためのファクシミリ送信プログラムは、ファクシミリ送信される画像データを記憶するための記憶媒体を有するファクシミリ装置を、送信原稿を読み取って前記送信原稿を表すカラー画像データと前記送信原稿を表すモノクロ画像データとを前記記憶媒体に記憶させる読み取り手段と、前記読み取り手段で前記送信原稿の読み取り中に前記記憶媒体の空き領域が不足すると前記カラー画像データ又は前記モノクロ画像データのいずれか一方を前記記憶媒体から削除する削除手段と、前記読み取り手段で前記送信原稿の読み取りが終了した後に送信先の機器との通信を確立して前記記憶媒体に記憶されている画像データを前記機器にファクシミリ送信する送信手段であって、前記機器はカラー画像データを受信可能であるかを判定し、前記機器がカラー画像データを受信可能であり且つ前記記憶媒体に前記カラー画像データが記憶されている場合は前記カラー画像データをファクシミリ送信し、前記機器がカラー画像データを受信できないか又は前記記憶媒体から前記カラー画像データが削除されている場合は前記モノクロ画像データをファクシミリ送信する送信手段として機能させる。
本発明によると、送信原稿の読み取り中に記憶媒体の空き領域が不足するとカラー画像データ又はモノクロ画像データを記憶媒体から削除するので、記憶媒体の空き領域を確保でき、読み取りを続行できる。
【００１３】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明はプログラムを記録した記録媒体の発明としても特定することができる。
【発明を実施するための最良の形態】
【００１４】
以下、本発明の実施の形態を実施例に基づいて説明する。
図２は、本発明の一実施例に係るファクシミリ装置としての複合機１０の外観を示す斜視図である。図３は、複合機１０のハードウェア構成を示すブロック図である。複合機１０は、原稿を読み取ってディジタル画像を生成し、生成したディジタル画像を印刷ユニット３０、ファクシミリ送受信部５０、リムーバブルメモリ１１、あるいは図示しないＰＣ（Personal Computer）に出力するスキャンユニット２０と、スキャンユニット２０、ファクシミリ送受信部５０、リムーバブルメモリ１１、あるいはＰＣから入力されるディジタル画像を印刷する印刷ユニット３０とを有している。
【００１５】
読み取り手段としてのスキャンユニット２０は、主に上部ケース２１に収容され、照明部２２、イメージセンサ２３、ＡＦＥ（Analog Front End）部２４、センサ駆動部２５、センサキャリッジ駆動部２６などを備える。照明部２２は、主走査方向に長い蛍光管ランプ等で構成される。センサ駆動部２５に駆動されるイメージセンサ２３は、ＲＧＢの３チャネルの光電素子群を備えるカラーＣＣＤリニアイメージセンサ等のリニアイメージセンサである。イメージセンサ２３は、透明な原稿台２７と平行に移動する図示しないセンサキャリッジに搭載されている。イメージセンサ２３は、図示しないレンズ及びミラーにより受光面に結像される原稿の光学像の濃淡に相関する電気信号を出力する。センサキャリッジ駆動部２６は、図示しないモータ、駆動ベルト、駆動回路等を備える。センサキャリッジ駆動部２６は、主走査方向に垂直に架設された図示しないガイドロッドに沿ってセンサキャリッジを往復移動させる。イメージセンサ２３が主走査方向と垂直な方向に移動することにより二次元画像を読み取り可能となる。ＡＦＥ部２４は、増幅、ノイズ除去等のアナログ信号処理回路、Ａ／Ｄ変換器等を備える。
【００１６】
印刷ユニット３０は、主に下部ケース３１に収容され、インクジェット方式で用紙に画像を形成する印字ヘッド３２、ヘッドキャリッジ駆動部３３、送紙部３４、これらを制御する印刷ユニット制御部３５などを備える。尚、印刷ユニット３０はレーザ方式等の他の印刷方式に対応する構成でもよい。印字ヘッド３２は、インクカートリッジが搭載される図示しないヘッドキャリッジに設けられ、ノズル、ピエゾ素子、ピエゾ素子に印加する駆動信号を出力するピエゾ駆動回路等を備える。ピエゾ駆動回路は、印刷ユニット制御部３５から出力される制御信号に応じて所定の波形の駆動信号をピエゾ素子に印加する。ヘッドキャリッジ駆動部３３は、図示しないモータ、駆動ベルト、モータ駆動回路等を備える。ヘッドキャリッジ駆動部３３は、用紙の搬送方向と垂直に印字ヘッド３２を往復移動させる。送紙部３４は、図示しない用紙搬送ローラ、モータ、モータ駆動回路等を備える。送紙部３４は、用紙搬送ローラを回転させることにより、トレイに載置されている用紙を印字ヘッド３２の移動方向軸線と垂直な方向に搬送する。印刷ユニット制御部３５は、ＲＡＭ６６から順次印字データが転送されるバッファメモリと、バッファメモリに格納された印字データを印字ヘッド３２に出力するタイミングをヘッドキャリッジの位置に応じて制御する機能と、ヘッドキャリッジ駆動部３３を制御する機能と、送紙部３４を制御する機能とを備えるＡＳＩＣである。
【００１７】
読み取り手段としてのディジタル画像処理部４６は、ＡＦＥ部２４から出力された画像データに対し、ガンマ補正、シェーディング補正、ＪＰＥＧ形式のエンコード等の画像処理を施してディジタル画像を生成する処理や、ＪＰＥＧ形式のディジタル画像のデコード、解像度変換、アンシャープ処理、階調補正、二値化、分版処理等の画像処理をＣＰＵ６８と協働して実行するＤＳＰ等の専用回路である。
【００１８】
送信手段としてのファクシミリ送受信部５０は、公衆電話網に回線接続するためのＮＣＵ（Ｎｅｔｗｏｒｋ  Ｃｏｎｔｒｏｌ  Ｕｎｉｔ）、送受信データの変復調を行うモデム、ＩＴＵ−Ｔ勧告に従ってプロトコル制御を行うプロトコル制御部、送受信データを符号化および復号化する符号化・復号化部などを有し、カラー画像を送受信可能に構成されている。符号化・復号化部はカラー画像の送受信時にはカラー画像をＪＰＥＧ方式によって符号化および復号化し、モノクロ画像の送受信時にはモノクロ画像をＭＨ（Ｍｏｄｉｆｉｅｄ  Ｈｕｆｆｍａｎ）、ＭＲ（Ｍｏｄｉｆｉｅｄ  Ｒｅａｄ）、ＭＭＲ（Ｍｏｄｉｆｉｅｄ  Ｍｏｄｉｆｉｅｄ  Ｒｅａｄ）などの方式によって符号化および復号化する。
【００１９】
送信手段および削除手段としての表示部４２は、ＬＣＤ４２ａ、ＬＣＤ４２ａを制御する図示しないグラフィックコントローラなどを備える。表示部４２は制御部６５に制御され、ＬＣＤ４２ａにディジタル画像や各種のメニューなどを表示する。
送信手段および削除手段としての操作部４３は、ユーザがＬＣＤ４２ａに表示されたメニューの操作、ファクシミリモードやコピーモードなどの動作モードの選択、読み取りを指示するための［読み取り］ボタン、ファクシミリ送信の開始を指示するための［送信］ボタン、印刷を指示するための［印刷］ボタンなどの各種の操作ボタンを備えている。また、操作部４３はファクシミリ番号を入力するための複数の番号ボタンなども備えている。
【００２０】
通信部４４は、制御部６５がＰＣ等の外部のシステムと通信するための通信インタフェースである。通信部４４は、ＬＡＮ、インターネット、ＵＳＢ等を通じて外部のシステムと通信する。
外部メモリコントローラ４１は、カードスロット４７から挿入されたリムーバブルメモリ１１に接続される。リムーバブルメモリ１１に格納されたデータは外部メモリコントローラ４１によって読み出され、ＲＡＭ６６に転送される。
【００２１】
制御部６５は、ＲＡＭ６６、フラッシュメモリ６７及びＣＰＵ６８を備える。ＣＰＵ６８はフラッシュメモリ６７に格納されている制御プログラムを実行して複合機１０の各部を制御する。また、制御部６５はファクシミリ送信プログラムを実行することにより、読み取り手段、削除手段、判定手段および送信手段としても機能する。フラッシュメモリ６７は電力供給が遮断されても記憶内容が失われない不揮発性メモリである。フラッシュメモリ６７には各種のプログラムやデータなどが記憶される。これら各種のプログラムやデータは遠隔地のサーバからネットワークを経由してフラッシュメモリ６７に格納してもよいし、リムーバブルメモリ１１などのコンピュータ読み取り可能な記録媒体を経由してフラッシュメモリ６７に格納してもよい。記憶媒体としてのＲＡＭ６６は、制御プログラム、スキャンユニット２０で送信原稿を読み取って生成された画像データなどの各種のデータが一時的に格納される揮発性メモリである。
【００２２】
次に、複合機１０が送信原稿を読み取ってファクシミリ送信する処理について説明する。
図４及び図５は、複合機１０が送信原稿を読み取ってファクシミリ送信する処理の流れを示すフローチャートである。本処理は例えばファクシミリモードが選択されている状態で読み取りを指示する操作ボタンが操作されると開始される。
【００２３】
Ｓ１０５では、ＣＰＵ６８はＲＡＭ６６の空き領域が不足する所謂メモリオーバーの発生回数をカウントするための変数Ｎに０（零）をセットする。
Ｓ１１０では、ＣＰＵ６８は原稿読み取り処理を実行する。以下、原稿読み取り処理について説明する。
【００２４】
図１は、読み取り処理の流れを示すフローチャートである。
Ｓ２０５では、ＣＰＵ６８はスキャンユニット２０を制御して送信原稿を所定ライン分読み取り、読み取ったライン分の画像データからモノクロ画像データおよびカラー画像データを生成する。次に、ＣＰＵ６８は生成したモノクロ画像データおよびカラー画像データをＲＡＭ６６に記憶させる。
Ｓ２１０では、ＣＰＵ６８はＲＡＭ６６のメモリオーバーが発生したか否かを判定する。ＣＰＵ６８は、メモリオーバーが発生した場合はＳ２１５に進み、メモリオーバーが発生していなければＳ２４０に進む。
【００２５】
Ｓ２１５では、ＣＰＵ６８は前述した変数Ｎを参照し、メモリオーバーの発生が１回目であるか２回目であるかを判定する。ＣＰＵ６８は変数Ｎの値が０であれば１回目であると判定してＳ２２０に進む。ＣＰＵ６８は変数Ｎの値が１であれば２回目であると判定し、送信原稿の読み取りを終了して図４に示すＳ１２０に進む。
【００２６】
Ｓ２２０では、ＣＰＵ６８は変数Ｎに１を加算する。
Ｓ２２５では、ＣＰＵ６８はＲＡＭ６６に記憶されているカラー画像データまたはモノクロ画像データを削除するか、またはファクシミリ送信を中止するかをユーザに問い合わせる。具体的には例えば、ＣＰＵ６８は表示部４２を制御して図６（Ａ）に示す問い合わせ画面７１をＬＣＤ４２ａに表示する。ユーザは操作部４３を操作し、モノクロ画像データを削除する場合は「１．モノクロ画像を削除」、カラー画像データを削除する場合は「２．カラー画像を削除」、送信を中止する場合は「３．送信中止」を選択する。ＣＰＵ６８は「１．モノクロ画像を削除」が選択された場合はＳ２３０に進み、「２．カラー画像を削除」が選択された場合はＳ２３５に進み、「３．送信中止」が選択された場合はファクシミリ送信を中止して処理を終了する。
【００２７】
Ｓ２３０では、ＣＰＵ６８は送信先の機器がカラー画像データを受信不可能な場合は送信を中止することをユーザに警告する。具体的には例えば、ＣＰＵ６８は図６（Ｂ）に示す問い合わせ画面７２をＬＣＤ４２ａに表示する。ユーザは操作部４３を操作し、ファクシミリ送信を中止してもよければ「１．ＹＥＳ」を選択し、中止したくない場合は「２．ＮＯ」を選択する。ＣＰＵ６８は、「１．ＹＥＳ」が選択された場合はＳ２３５に進み、「２．ＮＯ」が選択された場合はＳ２２５に戻る。
【００２８】
Ｓ２３５では、ＣＰＵ６８はカラー画像データまたはモノクロ画像データのいずれか一方をＳ２２５での選択に従ってＲＡＭ６６から削除する。
Ｓ２４０では、ＣＰＵ６８は全ラインの読み取りが終了したか否かを判定する。ＣＰＵ６８は終了していなければ全ラインの読み取りが終了するまで処理を繰り返し、終了していれば原稿読み取り処理を終了して図４のフローに戻る。
【００２９】
図４に示すＳ１１５では、ＣＰＵ６８は送信原稿の読み取りが終了したか否かを判定する。具体的には例えば、ユーザは送信原稿が複数頁からなる場合は次の頁の送信原稿を原稿台２７に載置して［読み取り］ボタンを押下し、全ての頁の読み取りが終了している場合は［送信］ボタンを押下する。ＣＰＵ６８は［読み取り］ボタンが押下された場合は次の送信原稿があると判定しＳ１１０に戻る。一方、ＣＰＵ６８は［送信］ボタンが押下された場合は送信原稿の読み取りが終了したと判定し、Ｓ１２０に進む。
【００３０】
Ｓ１２０では、ＣＰＵ６８は送信先の指定を受け付ける。ユーザは例えば操作部４３の番号ボタンを操作して送信先の機器の電話番号（ファクシミリ番号）を入力したり、あるいは予め登録されているファクシミリ番号を選択することによって送信先を指定する。
Ｓ１２５では、ＣＰＵ６８は指定された送信先を記憶する。
【００３１】
図５に示すＳ１３０では、ＣＰＵ６８はファクシミリ送受信部５０を制御し、指定された送信先の機器との回線接続を行って通信を確立する。この回線接続においてファクシミリ送受信部５０と送信先の機器との間でネゴシエーションが行われ、このネゴシエーションにおいて送信先の機器がカラー画像データを受信可能であるか又は受信不可能であるかが特定される。
【００３２】
Ｓ１３５では、ＣＰＵ６８は送信先の機器がカラー画像データを受信可能であるか又は受信不可能であるかをＳ１３０でのネゴシエーション結果に基づいて判定し、受信可能な場合はＳ１４０に進み、受信不可能な場合はＳ１５０に進む。
Ｓ１４０では、ＣＰＵ６８はＲＡＭ６６にカラー画像データが記憶されているか否かを判定する。ＣＰＵ６８はＲＡＭ６６にカラー画像データが記憶されている場合はＳ１４５に進み、ＲＡＭ６６からカラー画像データが削除されている場合はＳ１５５に進む。
【００３３】
Ｓ１４５では、ＣＰＵ６８はファクシミリ送受信部５０を制御し、ＲＡＭ６６に記憶されているカラー画像データを送信先の機器にファクシミリ送信する。このとき、前述した原稿読み取り処理のＳ２１５で２回目のメモリーオーバーが発生したと判定された場合は、スキャンユニット２０で読み込んだ頁のうち前頁までのカラー画像データをファクシミリ送信する。２回目のメモリオーバーが発生した場合は前頁までのカラー画像データをファクシミリ送信するようにすると、前頁までのカラー画像データの読み取りが無駄にならないので、前頁までの送信原稿を読み取り直すという無駄を排除できる。
【００３４】
Ｓ１５０では、ＣＰＵ６８はＲＡＭ６６にモノクロ画像データが記憶されているか否かを判定する。ＣＰＵ６８はＲＡＭ６６にモノクロ画像データが記憶されている場合はＳ１５５に進み、ＲＡＭ６６からモノクロ画像データが削除されている場合はファクシミリ送信を中止してＳ１６０に進む。
Ｓ１５５では、ＣＰＵ６８はファクシミリ送受信部５０を制御し、ＲＡＭ６６に記憶されているモノクロ画像データを送信先の機器にファクシミリ送信する。このとき、前述した原稿読み取り処理のＳ２１５で２回目のメモリーオーバーが発生したと判定された場合は、スキャンユニット２０で読み込んだ頁のうち前頁までのモノクロ画像データをファクシミリ送信する。
Ｓ１６０では、ＣＰＵ６８は回線を切断する。
【００３５】
次に、２回目のメモリオーバーが発生したときに次回のファクシミリ送信で実行される処理について説明する。
図７は、２回目のメモリオーバーが発生したときに次回のファクシミリ送信で実行される処理の流れを示すフローチャートである。ここでは図４に示すフローチャートと同一の処理には同一の符号を付して説明を省略する。
【００３６】
Ｓ３０５では、ＣＰＵ６８は前回と同じ送信先又は別の送信先のいずれにファクシミリ送信するかの選択を受け付ける。具体的には例えば、ＣＰＵ６８は「前回と同じ送信先」または「別の送信先」のいずれか一方を選択するための画面を表示し、ユーザが「前回と同じ送信先」を選択した場合はＳ１３０に進み、「別の送信先」を選択した場合はＳ１２０に進む。前回と同じ送信先が選択された場合は、Ｓ１３０においてＣＰＵ６８は前回のファクシミリ送信時にＳ１２５で記憶した送信先の機器との回線接続を行う。
【００３７】
２回目のメモリオーバーが発生し場合、次回のファクシミリ送信では前回のファクシミリ送信において読み取りを中止した頁から読み取りを再開して同じ送信先に送信する可能性が高い。本実施例によると、２回目のメモリオーバーが発生したときは次回のファクシミリ送信においてユーザは「前回と同じ送信先」を選択することにより、送信先の指定を省略できる。これによりユーザの利便性が向上する。
【００３８】
以上説明した本発明の一実施例に係る複合機１０によると、送信原稿の読み取り中にＲＡＭ６６の空き領域が不足するとカラー画像データ又はモノクロ画像データをＲＡＭ６６から削除するので、ＲＡＭ６６の空き領域を確保でき、読み取りを続行できる。
なお、本発明は上記の実施形態に限定されるものではなく、その要旨を逸脱しない範囲で種々の実施形態に適用可能である。
【図面の簡単な説明】
【００３９】
【図１】本発明の一実施例に係るフローチャート。
【図２】本発明の一実施例に係るファクシミリ装置の外観を示す斜視図。
【図３】本発明の一実施例に係るファクシミリ装置のブロック図。
【図４】本発明の一実施例に係るフローチャート。
【図５】本発明の一実施例に係るフローチャート。
【図６】（Ａ）および（Ｂ）は本発明の一実施例に係る画面の模式図。
【図７】本発明の一実施例に係るフローチャート。
【符号の説明】
【００４０】
１０  複合機（ファクシミリ装置）、２０  スキャンユニット（読み取り手段）、４２  表示部（送信手段、削除手段）、４３  操作部（送信手段、削除手段）、４６  ディジタル画像処理部（読み取り手段）、５０  ファクシミリ送受信部（送信手段）、６８  ＣＰＵ（読み取り手段、削除手段、判定手段、送信手段）、６６  ＲＡＭ（記憶媒体）
【図１】
0004613841.tif 000002
【図２】
0004613841.tif 000003
【図３】
0004613841.tif 000004
【図４】
0004613841.tif 000005
【図５】
0004613841.tif 000006
【図６】
0004613841.tif 000007
【図７】
0004613841.tif 000008